(57)【要約】【課題】着脱可能な情報記録媒体を用いる情報処理装置において、外部に前記情報処理装置と情報伝送可能な外部装置及び手段を確立し、前記外部装置には多数の情報記録媒体を装着、交換しうる手段を提供し、前記装置に赴かなくても情報の記録、再生を容易にすることを目的とする。【解決手段】外部装置として情報処理装置用のリモコン装置を使用し、前記リモコン装置側に情報記録媒体を装着することによって前記情報処理装置と情報記録媒体の内容の通信手段を確立すると共に、前記リモコン装置側に多数の情報記録媒体を装着、交換を可能にすることを提案する。【選択図】          図１
2004159175.tif 000002
【特許請求の範囲】
【請求項１】
磁気テープ、光ディスク、半導体メモリーカードなど、着脱可能な情報記録媒体を用いる情報装置を遠隔操作するために用いるリモコン装置において、当該情報記録媒体を装着する機構を有し、かつ、被装着情報記録媒体と情報装置間の情報伝送手段を設けたことを特徴とするリモコン装置。
【発明の詳細な説明】
【０００１】
【発明が属する技術分野】
本発明は、磁気テープ、光ディスク、半導体メモリーカードなど着脱可能な情報記録媒体に情報を記録、もしくは同情報媒体に記録されたの情報を再生する装置を遠隔操作する為に用いるリモコン装置に関するものである。
【０００２】
【従来の技術】
従来、たとえば音響装置やビデオ画像装置では、多種多様な情報を記録もしくは再生するために、磁気テープや光ディスクなどの脱可能な情報記録媒体を装着する機構を情報装置に設けているが、比較的大きな筐体を有するし情報装置自体は可搬性が低いため、リモコン装置による遠隔操作手段を設けていることが多い。
【０００３】
しかしながら、上記のような従来技術の場合、リモコン装置により遠隔操作可能な操作は、装置の電源開閉や音量を増減などに限られており、情報記録媒体を別の媒体に入れ替えることは不可能であったため、記録媒体着脱の為には装置本体へ赴く必要があった。
【０００４】
比較的高価な機器の場合、複数の情報記録媒体をチェンジャと称される装置に収納し、遠隔操作による媒体の入れ替えを可能にしている場合があるが、この場合であってもチェンジャに収納しうる記録媒体の数には機構上の物理的な制約があり、チェンジャに収納されていない記録媒体を扱うためには、チェンジャへの媒体の挿抜のために装置側へ赴く必要があることには変わりはない。
【０００５】
以上のように、既存のリモコンを付加しただけの装置では、完全な遠隔操作は不可能であり、障害などにより移動が困難な人々にとっての問題を解決したものとは言えなかった。
【０００６】
【発明が解決しようとする課題】
そこで本発明は、着脱可能な情報記録媒体を用いる情報装置において、前記装置側へ赴くことなく、前記装置側と情報伝送手段と多数の情報記録媒体を交換しうる手段を提供することを課題とするものである。
【０００７】
【課題を解決するための手段】
本発明は、上記課題を解決するためになされたもので、リモコン装置側に情報記録媒体を装着しうることにより、情報装置側へ赴くことなく前記装置と情報伝送を確立すると共に、リモコン装置側で多数の情報記録媒体の交換を可能にしたものである。
【０００８】
【発明の実施の形態】
以下、リモコン装置に情報記録媒体を装着し、情報装置と情報伝送を行う場合の実施例を基に発明を説明すれば次の通りである。
【０００９】
【実施例】
図１は、本発明を適用した第一の実施例であり、半導体メモリーカードに記録された画像を画面に表示しうるテレビ装置システムの全体構成図であり、図２はリモコン装置側の回路構成図であり、図３はテレビ装置側の回路構成図である。
【００１０】
リモコン装置１には半導体メモリーカード装着口１−１が設けられており、マイクロプロセッサ１−２は、ここへ装着された半導体メモリーカード２に記録された画像データを読み出し、発光ダイオード１−４の発光を制御することでテレビ装置３へ画像データを転送する。
【００１１】
テレビ装置３側には、リモコン装置１の発光ダイオード１−４から送られた光を受光して電気信号に変換する受光素子３−２があり、その出力はマイクロプロセッサ３−５で画像データとして復元され緩衝記憶装置３−６に格納され、映像信号作成回路３−７により映像信号に変換される。
【００１２】
本テレビ装置では、この映像信号に加え、一般的なテレビチューナ回路３−３や、外部映像信号入力端子３−４を有しており、実際に表示させる信号は表示信号選択回路３−８で選択された後、画像表示素子駆動回路３−９を介して画像表示素子３−１０に印加される。
【００１３】
説明を容易なものとするために、第一の実施例では、情報記録媒体からの読み出し再生にのみに機能を絞った実施例を示したが、リモコン装置自体に情報受信機能を設けることにより、装置本体側からリモコン装置側へ情報を送り、情報記録媒体へ書き込むことも可能であり、その実施例を次に説明する。
【００１４】
図４は、本発明を適用した第二の実施例であり、情報記録媒体の一つとして半導体メモリーカードを使用しうる音響装置システムの全体構成図であり、図５はリモコン装置側の回路構成図であり、図６は音響装置側の回路構成図である。
【００１５】
リモコン装置１には半導体メモリーカード装着口１−１が設けられており、マイクロプロセッサ１−２は、ここへ装着された半導体メモリーカード２に記録された音響データを読み出し、発光ダイオード１−４の発光を制御することで音響装置４へ音響データを転送するだけでなく、音響装置４の発光ダイオード４−１３から送られた光を受光して電気信号に変換する受光素子１−６があり、その出力はマイクロプロセッサ１−２で音響データとして復元される。
【００１６】
万一、リモコン装置と本体装置の間を人が横切った場合など、予期せぬデータの欠落を防止するため、マイクロプロセッサ１−２は音響データを直ぐには半導体メモリーカード２に書き込まず、まず緩衝記憶装置１−７に一旦格納された後、チェックサムなどの手法で全てのデータが正しく転送されたことが確認してから、半導体メモリーカード２に書き込む。
【００１７】
一方、音響装置４側には、リモコン装置１の発光ダイオード１−４から送られた光を受光して電気信号に変換する受光素子４−２があり、その出力はマイクロプロセッサ４−５で画像データとして復元され緩衝記憶装置４−６に格納され、音響信号作成回路４−７により映像信号に変換される。
【００１８】
本音響では、この映像信号に加え、一般的なラジオチューナ回路４−３や、光ディスク音響ユニット４−４、磁気テープ音響ユニット４−１１を有しており、実際に再生させる音響信号は音響信号選択回路４−８で選択される。
【００１９】
選択された音響信号は、音響信号増幅回路４−９を介してスピーカ４−１０に印加されるだけでなく、Ａ／Ｄコンバータ４−１２でデジタル信号に変換された後、マイクロプロセッサ４−５が発光ダイオード４−１３を駆動してリモコン装置側へ転送される。
【００２０】
ここまでの説明では、情報記録媒体として半導体メモリーカードを使用する場合を実施例として説明してきたが、リモコン装置側に従来からの磁気テープや光ディスクの駆動機構を組み込むことで、これら半導体メモリーカード以外の情報記録媒体に記録された情報を本体間と伝達することが可能であることは言うまでもない。
【００２１】
【発明の効果】
以上説明したように、本発明によれば、リモコン装置側だけで情報記録媒体の交換が可能となるため、場所を移動することなく手元のリモコン装置側だけで多数の情報媒体を短時間かつ容易に交換し、情報の記録、再生が可能となることは、単に操作が容易になるというだけではなく、移動に障害を持つ人にとっては、媒体の交換の度に、他の人の助けを借りたり、苦労して移動しなければならないという、大きな負担を解消することがができる。
【図面の簡単な説明】
【図１】本発明に係る第１の実施形態のリモコン装置を適用したテレビ装置システムの全体構成図である。
【図２】本発明に係る第１の実施形態のリモコン装置の回路構成図である。
【図３】本発明に係る第１の実施形態のテレビ装置の回路構成図である。
【図４】本発明に係る第２の実施形態のリモコン装置を適用した音響装置システムの全体構成図である。
【図５】本発明に係る第２の実施形態のリモコン装置の回路構成図である。
【図６】本発明に係る第２の実施形態の音響装置の回路構成図である。
【符号の説明】
１  リモコン装置
１−１  半導体メモリーカード装着口
１−２  マイクロプロセッサ
１−３  キーボードマトリックス
１−４  発光ダイオード
１−５  電池
１−６  受光素子
１−７  緩衝記憶装置
２    半導体メモリーカード
３  テレビ装置
３−１  電源回路
３−２  受光素子
３−３  テレビチューナ回路
３−４  外部映像信号入力端子
３−５  マイクロプロセッサ
３−６  緩衝記憶装置
３−７  映像信号作成回路
３−８  表示信号選択回路
３−９  画像表示素子駆動回路
３−１０  画像表示素子
４  音響装置
４−１  電源回路
４−２  受光素子
４−３  ラジオチューナ回路
４−４  光ディスク音響ユニット
４−５  マイクロプロセッサ
４−６  緩衝記憶装置
４−７  音響信号作成回路
４−８  音響信号選択回路
４−９  音響信号増幅回路
４−１０  スピーカ
４−１１  磁気テープ音響ユニット
４−１２  Ａ／Ｄコンバータ
４−１３  発光ダイオード
【図１】
2004159175.tif 000003
【図２】
2004159175.tif 000004
【図３】
2004159175.tif 000005
【図４】
2004159175.tif 000006
【図５】
2004159175.tif 000007
【図６】
2004159175.tif 000008